(57)【要約】【課題】駆動電源をオフにすると変位のない形状に戻る可変形状鏡に用いて好適な制御を行うことができる撮像装置を提供すること。【解決手段】撮像装置は、変形可能な反射面を有する可変形状鏡２と、前記反射面を駆動する駆動手段４と、前記反射面の変形量に応じた焦点距離を生成する撮影レンズ系１と、被写体の画像信号を得る撮像手段５と、前記撮像手段５が画像を撮像しているとき、前記可変形状鏡２の変位状態が保持されるように前記駆動手段４を制御するシステム制御手段７と、有する。このような構成により、前記撮像手段が画像を撮像しているとき、制御手段７は、前記駆動手段４が駆動信号を継続して供給するように制御し、前記可変形状鏡２の変位状態が保持される。従って、撮影時には可変形状鏡２の変位状態を維持して必要な画像を得、必要ないときは可変形状鏡２への駆動を止めて電力消費を削減する。【選択図】    図１
2004166157.tif 000002
【特許請求の範囲】
【請求項１】
変形可能な反射面と該反射面の形状を制御する電極とを有する可変形状鏡と、
前記電極に、前記反射面を駆動する信号を供給する駆動手段と、
前記可変形状鏡の反射面の変形量に応じた焦点距離を生成する撮影レンズ系と、
前記撮影レンズ系および前記可変形状鏡を介して結像した像の画像信号を得る撮像手段と、
前記撮像手段が少なくとも後段の処理の一つまたは一部に用いる画像を撮像しているとき、前記可変形状鏡の変位状態を保持するために、前記駆動手段が前記駆動信号を継続して供給するように制御する制御手段と、
を有する撮像装置。
【請求項２】
前記制御手段は、前記撮像手段が前記の後段処理画像撮像時以外のとき、前記駆動手段からの前記駆動信号の供給を停止させることを特徴とする請求項１に記載の撮像装置。
【請求項３】
前記制御手段は、露光時、前記駆動手段からの前記駆動信号の供給を継続させることを特徴とする請求項１に記載の撮像装置。
【請求項４】
前記制御手段は、露光後、前記駆動手段からの前記駆動信号の供給を停止させることを特徴とする請求項３に記載の撮像装置。
【請求項５】
前記制御手段は、前記撮像手段から読み出す画素数を変更する間、前記駆動手段からの前記駆動信号の供給を継続させることを特徴とする請求項１に記載の撮像装置。
【請求項６】
前記制御手段は、前記撮像手段の読み出し画素数が変更された後、前記駆動手段からの前記駆動信号の供給を停止させることを特徴とする請求項５に記載の撮像装置。
【請求項７】
メカニカルシャッタをさらに有し、
前記制御手段は、前記メカニカルシャッタが開いている間、前記撮像手段が少なくとも後段の処理の一つまたは一部に用いる画像を撮像しているとき、前記駆動手段からの前記駆動信号の供給を継続させることを特徴とする請求項１に記載の撮像装置。
【請求項８】
前記制御手段は、前記メカニカルシャッタが閉じた後、前記駆動手段からの前記駆動信号の供給を停止させることを特徴とする請求項７に記載の撮像装置。
【請求項９】
前記制御手段は、前記撮像手段がフレーム読み出しモードに移行後も、前記駆動手段からの前記駆動信号の供給を継続させることを特徴とする請求項１に記載の撮像装置。
【請求項１０】
前記制御手段は、前記撮像手段が複数のフレームの画像を連続して撮影している間、前記駆動手段からの前記駆動信号の供給を継続させることを特徴とする請求項９に記載の撮像装置。
【請求項１１】
前記制御手段は、前記撮像手段が動画撮影する間、前記駆動手段からの前記駆動信号の供給を継続させることを特徴とする請求項９に記載の撮像装置。
【発明の詳細な説明】
【０００１】
【発明の属する技術分野】
本発明は、撮像装置に関し、特に可変形状鏡を用いた撮像装置に関する。
【０００２】
【従来の技術】
電気的な力で自由曲面形状の反射面を変形でき、レンズを機械的に移動させることなく所望の光学特性を得ることの可能な可変形状鏡（可変ミラーとも呼ばれる）がある。この可変形状鏡をデジタルカメラ等の撮像装置の光学系に使うことにより、小型・軽量化を実現できる。例えば、特開２００２−１２２７８４号公報には、このような可変形状鏡を光学系に用いた光学装置が開示されている。
【０００３】
また、以上のような可変形状鏡を用いたデジタルカメラとしては、例えば、特開２００２−２２１７５１号公報に開示されているものがある。
【０００４】
上記各公報では、可変形状鏡を用いることにより、レンズの移動を伴うことなくズームやオートフォーカスを行うことが可能となり、従来、ズームやオートフォーカスのレンズの移動に使用されていたモーターを省くことができ、消費電力の削減によるカメラの電池寿命の長時間化，小型化，軽量化を実現している。
【０００５】
【特許文献１】
特開２００２−１２２７８４号公報（第１−８頁、第４６頁、図１）
【０００６】
【特許文献２】
特開２００２−２２１７５１号公報（第１３−１４頁、図３６、図４５）
【０００７】
【発明が解決しようとする課題】
特開２００２−２２１７５１号公報に開示の可変形状鏡は、駆動電源をオフにしたときもオフにした時点での変位を維持する構成で示されている。しかしながら、可変形状鏡自体は駆動電源をオフにすると、基本的にはその性質上、変位のない形状に戻るものであるが、このような性質については、何等の示唆も与えていない。
【０００８】
本発明は、このような点に着目してなされたものであり、駆動電源をオフにすると変位のない形状となる可変形状鏡に用いて、好適な制御を行うことができる撮像装置を提供することを目的とするものである。
【０００９】
【課題を解決するための手段】
請求項１に記載の本発明に係る撮像装置は、変形可能な反射面と該反射面の形状を制御する電極とを有する可変形状鏡と、前記電極に、前記反射面を駆動する信号を供給する駆動手段と、前記可変形状鏡の反射面の変形量に応じた焦点距離を生成する撮影レンズ系と、前記撮影レンズ系および前記可変形状鏡を介して結像した像の画像信号を得る撮像手段と、前記撮像手段が少なくとも後段の処理の一つまたは一部に用いる画像を撮像しているとき、前記可変形状鏡の変位状態を保持するために、前記駆動手段が前記駆動信号を継続して供給するように制御する制御手段と、を有するものである。
【００１０】
このような構成により、前記撮像手段が少なくとも後段の処理の一つまたは一部に用いる画像を撮像しているとき、制御手段は、前記駆動手段が前記駆動信号を継続して供給するように制御し、その結果、前記可変形状鏡の変位状態が保持されるように動作する。したがって、撮像時に可変形状鏡の変位が維持されるため、適切な画像を取得することができる。
【００１１】
なお、本発明における後段の処理というのは、例えばユーザーの欲する撮影の前に行うＡＥやＡＦのような処理、或いはまた、ユーザーが欲する撮影を行う画像撮影などの少なくとも一つまたは一部を含むものである。
【００１２】
また、請求項２に記載の本発明に係る撮像装置は、請求項１に記載の撮像装置において、前記制御手段が、前記撮像手段が前記の後段処理画像撮像時以外のとき、前記駆動手段からの前記駆動信号の供給を停止させることを特徴とする。
【００１３】
以上のように構成することにより、前記撮像手段が前記後段処理画像撮像時以外のとき，前記制御手段は、前記駆動手段が前記駆動信号を供給することを停止するように動作する。
【００１４】
また、請求項３に記載の本発明に係る撮像装置は、請求項１に記載の撮像装置において、前記制御手段が、露光時、前記駆動手段からの前記駆動信号の供給を継続させることを特徴とする。
【００１５】
以上のように構成することにより、露光時、前記制御手段は、前記駆動手段が前記駆動信号の供給を継続するように動作する。
【００１６】
また、請求項４に記載の本発明に係る撮像装置は、請求項３に記載の撮像装置において、前記制御手段が、露光後、前記駆動手段からの前記駆動信号の供給を停止させることを特徴とする。
【００１７】
以上のように構成することにより、露光後、前記制御手段は、前記駆動手段が前記駆動信号の供給を停止するように動作する。
【００１８】
また、請求項５に記載の本発明に係る撮像装置は、請求項１に記載の撮像装置において、前記制御手段が、前記撮像手段から読み出す画素数を変更する間、前記駆動手段からの前記駆動信号の供給を継続させることを特徴とする。
【００１９】
ここで、「前記撮像手段が読み出す画素数を変更する間」とは、例えば、撮像素子の垂直画素数間引き読み出し、撮像素子によっては、加えて水平画素加算読み出し動作のモード（実施の形態中の「ドラフトモード」に対応）から、撮像素子からの全画素読み出し動作のモード（実施の形態中の「フレーム読み出しモード」に対応する）に移行する操作を意味する。
【００２０】
以上のように構成することにより、前記撮像手段が画素数を変更する間（例えば、ドラフトモードからフレーム読み出しモードに移行するときまで）、前記制御手段は、前記駆動手段が前記駆動信号の供給を継続するように動作する。
【００２１】
また、請求項６に記載の本発明に係る撮像装置は、請求項５に記載の撮像装置において、前記制御手段が、前記撮像手段の読み出し画素数が変更された後、前記駆動手段からの前記駆動信号の供給を停止させることを特徴とする。
【００２２】
以上のように構成することにより、前記撮像手段の読み出し画素数が変更された後、前記制御手段は、前記駆動手段が前記駆動信号の供給を停止するように動作する。
【００２３】
また、請求項７に記載の本発明に係る撮像装置は、請求項１に記載の撮像装置において、メカニカルシャッタをさらに有し、前記制御手段は、前記メカニカルシャッタが開いている間、前記撮像手段が少なくとも後段の処理の一つまたは一部に用いる画像を撮像しているとき、前記駆動手段からの前記駆動信号の供給を継続させることを特徴とする。
【００２４】
以上のように構成することにより、前記駆動手段は、前記メカニカルシャッタが開いている間、前記撮像手段が少なくとも後段の処理の一部に用いる画像を撮像しているとき、前記制御手段は、前記駆動手段が前記駆動信号の供給を継続するように動作する。
【００２５】
また、請求項８に記載の本発明に係る撮像装置は、請求項７に記載の撮像装置において、前記制御手段が、前記メカニカルシャッタが閉じた後、前記駆動手段からの前記駆動信号の供給を停止させることを特徴とする。
【００２６】
以上のように構成することにより、前記メカニカルシャッタが閉じた後、前記制御手段は、前記駆動手段が前記駆動信号の供給を停止するように動作する。
【００２７】
また、請求項９に記載の本発明に係る撮像装置は、請求項１に記載の撮像装置において、前記制御手段が、前記撮像手段がフレーム読み出しモードに移行後も、前記駆動手段からの前記駆動信号の供給を継続させることを特徴とする。
【００２８】
以上のように構成することにより、前記撮像手段がフレーム読み出しモードに移行後も、前記制御手段は、前記駆動手段が前記駆動信号の供給を継続するように動作する。
【００２９】
また、請求項１０に記載の本発明に係る撮像装置は、請求項９に記載の撮像装置において、前記制御手段が、前記撮像手段が複数のフレームの画像を連続して撮影している間、前記駆動手段からの前記駆動信号の供給を継続させることを特徴とする。
【００３０】
以上のように構成することにより、前記撮像手段が複数のフレームの画像を連続して撮影している間、前記制御手段は、前記駆動手段が前記駆動信号の供給を継続するように動作する。
【００３１】
また、請求項１１に記載の本発明に係る撮像装置は、請求項９に記載の撮像装置において、前記制御手段が、前記撮像手段が動画撮影する間、前記駆動手段からの前記駆動信号の供給を継続させることを特徴とする。
【００３２】
以上のように構成することにより、前記撮像手段が動画撮影する間、前記制御手段は、前記駆動手段が前記駆動信号の供給を継続するように動作する。
【００３３】
【発明の実施の形態】
発明の実施の形態について図面を参照して説明する。
【００３４】
〔第１の実施の形態〕
図１は、本発明の第１の実施の形態の撮像装置を示すブロック図である。撮像装置としてデジタルカメラの構成例を示している。
【００３５】
図１に示すデジタルカメラは、撮影レンズ系１と、変形可能な反射面と該反射面の形状を制御する電極とを有する可変形状鏡２と、前記可変形状鏡２の駆動のための駆動信号を電極２ａに供給する昇圧電源手段３を有する駆動手段４と、前記撮影レンズ系１及び前記可変形状鏡２を経て結像した像から画像信号を得るＣＣＤイメージセンサ等の撮像素子を有する撮像手段５と、該撮像手段５からの画像信号を処理する画像信号処理手段６と、システム全体の制御を行うシステム制御手段７と、撮像ボタン８と、撮像した画像を保存するメモリ等の画像記憶手段９と、画像を表示する画像表示・確認手段１０と、撮像操作後ある時間経過した後、撮像するために用いられるタイマー１１と、外部から撮像操作を行うリモコン１２と、を具備して構成される。
【００３６】
なお、図１では、ＣＣＤイメージセンサにおける電子シャッタで被写体情報を制御している例を示している。撮影直前に、イメージセンサ内の情報をクリアし、撮影直後に情報をイメージセンサ外に転送している。
【００３７】
次に、図２に示す動作フローチャートに基づき、動作を説明する。
【００３８】
撮像レンズ系１を通った光は、可変形状鏡２で反射し、撮像手段５上に結像されているものとする。
【００３９】
結像した被写体の像から撮像手段５を通して画像信号を得るとき、システム制御手段７は、駆動手段４が可変形状鏡２に駆動信号を供給するように制御して可変形状鏡２の反射面を変位させ、適切な像が得られるよう焦点位置を変える（ステップＳ１）。
【００４０】
そして、システム制御手段７は、ユーザーにより撮像ボタン８が操作されたか、もしくは、タイマー１１、リモコン１２が操作されたかどうかを判断する（ステップＳ２）。操作されていた場合（ステップＳ２でＹＥＳ）には、撮像手段５が被写体の画像信号を取得することが可能な撮像状態となることを待って、システム制御手段７は、駆動手段４が可変形状鏡２に現在の変位量を維持するための駆動信号を供給するように制御して、可変形状鏡２の変位量を保つ（ステップＳ３）。ここで操作ボタン８等が操作されていない場合には（ステップＳ２でＮＯ）、ステップＳ１に戻る。次に、システム制御手段７は、可変形状鏡２の変位量を維持したまま、露光時間を設定し（ステップＳ４）、その露光時間が満了したか否か判断する（ステップＳ５）。露光時間が満了したら（ステップＳ５でＹＥＳ）、撮像手段５からの画像信号を画像処理手段６で処理後、画像記憶手段９に記憶する。
【００４１】
一方、露光時間満了後、撮像手段５での被写体の画像信号の読み出しが可能な状態となり、撮像手段５の撮像状態が終了したら、システム制御手段７は、駆動手段４による可変形状鏡２への駆動信号の供給を停止させ（ステップＳ６）、可変形状鏡２の変位を解除する。なお、「被写体の画像信号の読み出しが可能な状態」とは、例えば、インターレース読出し方式のＣＣＤ型撮像素子では、垂直転送用のＣＣＤに電荷の転送が完了した状態である。
【００４２】
また、必要に応じて、ユーザーの設定操作などにより、画像表示・確認手段１０で画像の表示なども行う。
【００４３】
なお、露光時間を決定するに際して、撮像手段により取得された画像信号から予め露光量を検出する動作（通常、自動露出（ＡＥ）と呼ばれる）が必要であるが、必ずしも合焦状態で行わなければならないというものではない。従って、合焦状態でＡＥを行うのであれば、駆動信号を継続して供給するように制御される。
【００４４】
このような構成により、前記撮像手段が少なくとも後段の処理の一つまたは一部、例えばＡＥ処理、ＡＦ処理、或いはユーザーが欲する撮影画像の処理等の処理に用いる画像を撮像しているとき、制御手段は、前記駆動手段が前記駆動信号を継続して供給するように制御し、その結果、前記可変形状鏡の変位状態が保持されるように動作する。したがって、撮像時に可変形状鏡の変位が維持されるため、適切な画像を取得することができる。また、前記の画像撮像時以外のとき、前記駆動信号の供給が停止されるので、適切な時期に電気力を開放することにより、消費電力を減らすことができる。
【００４５】
本実施形態によれば、撮像時には、ユーザーが欲する適切な撮像画像を取得し、また、撮像時以外には、余分な電力の消費を避けることができる。
【００４６】
〔第２の実施の形態〕
次に、本発明の第２の実施の形態の撮像装置を説明する。この第２の実施の形態の基本構成は、図１の第１の実施の形態と同様である。
【００４７】
図３は本実施形態における動作を説明するタイミングチャートである。図３（ａ）は撮像素子の動作を示し、図３（ｂ）は可変形状鏡２の駆動状態を示している。図３（ａ）で、ドラフトモードとは、画像撮影前の準備段階のモードであって、例えば撮像ボタン等の操作前に画像表示・確認手段１０で撮影予定の画像を確認するために撮像手段６から画像読み出しを行うときに利用するものであり、撮像素子の垂直画素数間引き読み出し動作、撮像素子によっては、加えて水平画素加算読み出し動作のモードを指している。また、フレーム読み出しモードとは、撮像ボタン等を操作し撮影した後の読み出しモードであって、主として画像記憶手段９へ画像を記録するために、撮像手段６から撮像した画像を読み出す動作モードである。例えば、撮像素子からの全画素読み出す動作モードを指している。
【００４８】
本実施の形態では、図３（ａ），（ｂ）に示すように、ＣＣＤイメージセンサなどの撮像手段５が先のドラフトモードのあと露光動作を行い、先のフレーム読み出しモードに入る前の露光終了までの期間、システム制御手段７が、駆動手段４による可変形状鏡２への駆動信号の供給を維持させ、可変形状鏡２の変位量を保つように構成されている。
【００４９】
そして、露光終了後、被写体の画像信号の読み出しが可能な状態となった時点で、システム制御手段７は、駆動手段４によって駆動していた可変形状鏡２への電気的な力を解除する。
【００５０】
このような構成により、露光中、可変形状鏡２の変位が維持されるため露光動作終了まで光学系が固定され、適切な画像を取得することができる。また、露光後、前記駆動信号の供給が停止されるので、消費電力を減らすことができる。
【００５１】
本実施形態によれば、露光中は、ユーザーが欲する適切な撮像画像を取得し、また露光後は、余分な電力の消費を避けることができる。
【００５２】
なお、この実施形態の各構成は、各種の変形、変更が可能である。例えば、露光動作に入る前の動作がドラフトモードでなく、フレーム読み出しモードの場合にも適用できる。
【００５３】
〔第３の実施の形態〕
次に、本発明の第３の実施の形態の撮像装置を説明する。この第３の実施の形態の基本構成は、図４に示すように撮像レンズ系１の後方で撮像手段５に至る光軸上に、メカニカルシャッタ１３を配した構成とするもので、メカニカルシャッタ１３が配置されること以外は、図１の第１の実施の形態と同様である。
【００５４】
図５は本実施形態における動作を説明するタイミングチャートである。図５（ａ）は撮像素子の動作を示し、図５（ｂ）はメカニカルシャッタ１３の動作状態を示し、図５（ｃ）は可変形状鏡２の駆動状態を示している。ドラフトモード及びフレーム読み出しモードは、図３（ａ）で説明したのと同様である。
【００５５】
本実施の形態では、図５（ｂ），（ｃ）に示すように、メカニカルシャッタ１３が開いている間、前記撮像手段が少なくとも後段の処理の一つまたは一部に用いる画像を撮像しているとき、システム制御手段７が、駆動手段４による可変形状鏡２への駆動信号の供給を維持させ、可変形状鏡２の変位量を保つように構成されている。
【００５６】
そして、メカニカルシャッタ１３が閉じた後、システム制御手段７は、駆動手段４による可変形状鏡２への駆動信号の供給を停止させ、可変形状鏡２の変位を解除する。
【００５７】
このような構成により、メカニカルシャッタ１３が開いている間、可変形状鏡２の変位が維持されるため、適切な画像を取得することができる。また、メカニカルシャッタ１３が閉じた後、駆動信号の供給が停止されるので、消費電力を減らすことができる。
【００５８】
本実施形態によれば、メカニカルシャッタ１３が開いている間、ユーザーが欲する適切な撮像画像を取得し、またメカニカルシャッタ１３が閉じた後は、余分な電力の消費を避けることができる。
【００５９】
〔第４の実施の形態〕
次に、本発明の第４の実施の形態の撮像装置を説明する。この第３の実施の形態の基本構成は、図１又は図４の実施の形態と同様である。
【００６０】
図６は本実施形態におけるメカニカルシャッタ無しの場合（図１に対応）の動作を説明するタイミングチャートである。図６（ａ）は撮像素子の動作を示し、図６（ｂ）は可変形状鏡２の駆動状態を示している。
【００６１】
また、図７は本実施形態におけるメカニカルシャッタ有りの場合（図４に対応）の動作を説明するタイミングチャートである。図７（ａ）は撮像素子の動作を示し、図７（ｂ）はメカニカルシャッタ１３の動作状態を示し、図７（ｃ）は可変形状鏡２の駆動状態を示している。
【００６２】
本実施の形態では、図６（ａ），（ｂ）に示すように、ドラフトモードから露光動作を経て、フレーム読み出しモードに移行した後も、システム制御手段７が、駆動手段４による可変形状鏡２への駆動信号の供給を維持させ、可変形状鏡２の変位量を保つように構成されている。
【００６３】
本実施の形態では、図７（ｂ），（ｃ）に示すように、メカニカルシャッタ１３が開いた状態から閉じた状態に移行した後も、システム制御手段７が、駆動手段４による可変形状鏡２への駆動信号の供給を維持させ、可変形状鏡２の変位量を保つように構成されている。
【００６４】
このような構成により、撮像手段５がフレーム読み出しモードに移行後も可変形状鏡２の変位が維持されるため、適切な画像を取得することができる。また、撮像手段５が複数のフレームの画像を連続して撮影している間、可変形状鏡２の変位が維持されるため、適切な画像を取得することができる。
【００６５】
本実施形態によれば、連続撮影を行っている間、ユーザーが欲する適切な撮像画像を取得することができる。
【００６６】
〔第５の実施の形態〕
次に、本発明の第５の実施の形態を説明する。この第５の実施の形態の基本構成は、図１又は図４の実施の形態と同様である。なお、図４のようにメカニカルシャッタ１３を有する場合には、動画撮影中はメカニカルシャッタ１３を開いた状態とする。
【００６７】
本実施の形態では、図８に示す動作フローチャートのように、動画を撮影する場合、つまり繰り返し撮像を繰り返す場合に、システム制御手段７が、駆動手段４による可変形状鏡２への駆動信号の供給を維持させ、可変形状鏡２の変位量を固定し（ステップＳ１１）、画像信号を取得（ステップＳ１２）後、動画撮影中か否かを判断する（ステップＳ１３）。動画撮影中であればそのまま可変形状鏡２の変位量を固定（ステップＳ１１）、動画撮影終了であれば（ステップＳ１３のＹＥＳ）、可変形状鏡２への駆動信号の供給を停止する（ステップＳ１４）という動作をする。
【００６８】
従って、撮像手段５が動画撮影する間、可変形状鏡２の変位が維持されるため、適切な画像を取得することができる。
【００６９】
本実施形態によれば、動画撮影中は、ユーザーが欲する適切な動画撮像画像を取得することができる。
【００７０】
なお、本発明の実施形態の各構成は、当然、各種の変形、変更が可能である。例えば、可変形状鏡２による光学系は、デジタルカメラだけではなく、銀塩カメラなどの光学系にも適用できるほか、撮像素子については、ＣＣＤ（電荷結合素子、Ｃｈａｒｇｅ  Ｃｏｕｐｌｅｄ  Ｄｅｖｉｃｅの略）のほか、ＭＯＳ型撮像素子などであっても良い。
【００７１】
【発明の効果】
以上述べたように本発明によれば、撮像時には、可変形状鏡の変位状態を維持することにより、必要な画像を得ることができる。また、撮像時以外では、可変形状鏡の駆動を止めることにより、余分な電力の消費を避けることができる。
【００７２】
請求項１の発明によれば、撮像時に可変形状鏡の変位が維持されるため、適切な画像を取得することができる。
【００７３】
請求項２の発明によれば、前記後段処理画像撮像時以外のとき、前記駆動信号の供給が停止されるので適切な時期に電気力を開放することにより、消費電力を減らすことができる。
【００７４】
請求項３の発明によれば、露光中、変位が維持されるため動作終了まで光学系が固定されるため、適切な画像を取得することができる。
【００７５】
請求項４の発明によれば、  露光後、前記駆動信号の供給が停止されるので、消費電力を減らすことができる。
【００７６】
請求項５の発明によれば、前記撮像手段が画素数を変更する間変位が維持されるため、適切な画像を取得することができる。
【００７７】
請求項６の発明によれば、前記撮像手段が前記フレーム読み出しモードに移行後、前記駆動信号の供給が停止されるので、消費電力を減らすことができる。
【００７８】
請求項７の発明によれば、メカニカルシャッタが開いている間、変位が維持されるため、適切な画像を取得することができる。
【００７９】
請求項８の発明によれば、メカニカルシャッタが閉じた後、駆動信号の供給が停止されるので、消費電力を減らすことができる。
【００８０】
請求項９の発明によれば、撮像手段がフレーム読み出しモードに移行後も変位が維持されるため、適切な画像を取得することができる。
【００８１】
請求項１０の発明によれば、撮像手段が複数のフレームの画像を連続して撮影している間、変位が維持されるため、適切な画像を取得することができる。
【００８２】
請求項１１の発明によれば、撮像手段が動画撮影する間、変位が維持されるため、適切な画像を取得することができる。
【図面の簡単な説明】
【図１】本発明の第１の実施の形態の撮像装置を示すブロック図。
【図２】第１の実施の形態における動作フローチャート。
【図３】本発明の第２の実施形態における動作を説明するタイミングチャート。
【図４】本発明の第３の実施の形態の撮像装置を示すブロック図。
【図５】第３の実施形態における動作を説明するタイミングチャート。
【図６】本発明の第４の実施形態におけるメカニカルシャッタ無しの場合の動作を説明するタイミングチャート。
【図７】第４の実施形態におけるメカニカルシャッタ有りの場合の動作を説明するタイミングチャート。
【図８】本発明の第５の実施の形態における動作フローチャート。
【符号の説明】
１…撮影レンズ系
２…可変形状鏡
４…駆動手段
５…撮像手段
７…システム制御手段（制御手段）
１３…メカニカルシャッタ
【図１】
2004166157.tif 000003
【図２】
2004166157.tif 000004
【図３】
2004166157.tif 000005
【図４】
2004166157.tif 000006
【図５】
2004166157.tif 000007
【図６】
2004166157.tif 000008
【図７】
2004166157.tif 000009
【図８】
2004166157.tif 000010